(57)【要約】【課題】  乳幼児を椅子に着座させた際の安全性を確実に確保できるとともに、簡単に乳幼児を椅子へ着座させたり、椅子から抱き上げたりする動作を行える乳幼児椅子を提供する。【解決手段】  背もたれ部１２と座板１４とを含む椅子本体１６と、座板１２に乳幼児Ｍを着座させた際に少なくとも該乳幼児Ｍの前方転倒方向の動きを規制する落下防止部材１８と、を含み、乳幼児Ｍを座板１４上に着座させ、該落下防止部材１８を椅子本体１６に取り付けた状態で該落下防止部材１８と背もたれ部１２とが乳幼児Ｍの周囲を無端状に取り囲むように構成され、該落下防止部材１８は椅子本体１６に対して着脱自在に取り付けられていることを特徴とする乳幼児椅子１０から構成される。落下防止部材を椅子本体と着脱させて乳幼児を椅子へ着座させたり抱き上げたりする動作を簡便に行える。【選択図】図１
2006116166.tif 000002
【特許請求の範囲】
【請求項１】
背もたれ部と座板とを含む椅子本体と、
座板に乳幼児を着座させた際に少なくとも該乳幼児の前方転倒方向の動きを規制する落下防止部材と、を含み、
乳幼児を座板上に着座させ、該落下防止部材を椅子本体に取り付けた状態で該落下防止部材と背もたれ部とが乳幼児の周囲を無端状に取り囲むように構成され、
該落下防止部材は椅子本体に対して着脱自在に取り付けられていることを特徴とする乳幼児椅子。
【請求項２】
落下防止部材は、背もたれ部の左右両側に設けられた受部を介して水平方向に架設される杆状ハンドル体からなり、
杆状ハンドル体の両端側と両受部とがロック係合状態となって無端状の囲みを保持する状態と、それぞれの係合を解除して落下防止部材を離脱させる状態と、を変更自在とする落下防止部材脱着機構を備えたことを特徴とする請求項１記載の乳幼児椅子。
【請求項３】
受部は背もたれ部の両側に設けられた貫通孔からなり、
落下防止部材脱着機構は、両貫通孔にそれぞれの両端側を挿通させた状態の杆状ハンドル体をその長手軸回りに軸回転操作することにより杆状ハンドル体と両貫通孔とのロック係合状態と、ロック離脱状態と、を自在に変更させることを特徴とする請求項２記載の乳幼児椅子。
【請求項４】
背もたれ部は、前方側を開口した平面視Ｕ字形状で構成されていることを特徴とする請求項３記載の乳幼児椅子。
【請求項５】
背もたれ部の左右いずれか、または両側の貫通孔は、くびれ通路と、該くびれ通路にそれぞれ連通して対向して設けられた複数の保持孔と、を含み、
複数の保持孔の１つは、他の保持孔より小形であり、
杆状ハンドル体の一端または両端側には、大形の保持孔を貫通状に通すが小形の保持孔を貫通方向には通させず、かつくびれ通路を連通方向に通させない貫通本体部と、保持孔もくびれ通路も通す薄肉部と、が形成されたことを特徴とする請求項３または４記載の乳幼児椅子。
【請求項６】
少なくとも一対の保持孔は、くびれ通路を挟んで上下に対向配置されていることを特徴とする請求項５記載の乳幼児椅子。
【請求項７】
椅子本体を支持する脚部を有し、
該脚部、椅子本体を含む構成部材は、木材または木製積層板から形成され、
脚部の上部側は水平方向に曲成され、該曲成部を座板の下面側に直接に組付けて構成されることを特徴とする請求項１ないし６のいずれかに記載の乳幼児椅子。
【請求項８】
座板に着座する乳幼児のずり落ちを防止するように座板から上方に向けて乳幼児の股の間に立設されるズレ防止部材を有することを特徴とする請求項１ないし７のいずれかに記載の乳幼児椅子。
【発明の詳細な説明】
【技術分野】
【０００１】
本発明は、例えば、家庭やレストラン等の施設内で、乳幼児を着座させる際に用いられる乳幼児椅子に関する。
【背景技術】
【０００２】
例えば、家庭やレストランでの食事等の際に乳幼児を着座させる場合には、乳幼児は体格が小さいので、高い位置に座板が配置された乳幼児専用の椅子を利用する場合が多い。この種の乳幼児専用の椅子については種々提案されており、例えば、特開２００４−１４７８０２号公報に開示されている。特開２００４−１４７８０２号公報提案の乳幼児用ハイチェアでは、同添付図面、図１に示すように、左右両脚１１の間に座板１２と足載せ台１３が横架され、両脚の上部側には、背板１９が固定されている。さらに、背板１９の前方側で座板１２の上方位置には、Ｃ字状に湾曲した保護枠２０が配置されその両端側がネジ１８で左右両脚１１に固定されている。この保護枠２０は、着座した乳幼児を囲むように配置され、乳幼児が前に倒れるのを防止したり、椅子上で暴れて椅子から落下するのを防止している。
【特許文献１】特開２００４−１４７８０２号公報  （図１）
【発明の開示】
【発明が解決しようとする課題】
【０００３】
特開２００４−１４７８０２号公報の乳幼児用ハイチェアに乳幼児を座らせる際には、例えば、大人が乳幼児を抱え上げながら椅子の上方側から保護枠と背板の間に乳幼児の足を配置させつつ、保護枠と座板との間の間隙から乳幼児の脚を前に出して着座姿勢をとらせる必要があった。しかしながら、この際、例えば、１歳前後ぐらいの乳幼児は、自分の意志で脚を適切な位置へと動かすことができないので、大人が乳幼児を抱えたままその脚を操作しなければならず作業が煩雑なものとなっていた。同時に、乳幼児は自由に脚をばたつかせるので乳幼児の脚や体が保護枠に干渉する場合もあり、保護枠がかえって邪魔になっていた。乳幼児を椅子から抱き上げる際にも同様に、保護枠が邪魔になっていた。すなわち、保護枠が座板上に固定配置されているために、乳幼児を着座させたり、抱え上げたりすることが困難であり、不便で実用性の低いものであった。また、この保護枠を椅子に対して脱着しようとする場合には、ドライバやレンチ等の工具が必要で、保護枠を手で持ちながら工具を使って作業を行わなければならないので、作業が煩雑で時間もかかるものであった。特に、乳幼児を椅子に座らせた状態で保護枠を脱着する場合には、保護枠や脚等の部材の間に乳幼児の衣服を巻き込んだり、体を挟んだり、保護枠が不意に乳幼児の脚の上に落下したりするおそれがあり、実用的ではなかった。
【０００４】
本発明は、上記従来の課題に鑑みてなされたものであり、その目的は、乳幼児を椅子に着座させた際の安全性を確実に確保できるとともに、該落下防止部材を椅子本体に対して着脱させて簡単に乳幼児を椅子へ着座させたり、椅子から抱き上げたりする動作を行える乳幼児椅子を提供することである。さらに、他の発明は、簡単な構成で、落下防止部材の着脱操作を簡単かつ短時間で確実に行え、しかも着座している乳幼児に対しても安全に行える乳幼児椅子を提供することである。
【課題を解決するための手段】
【０００５】
上記課題を解決するために本発明は、背もたれ部１２と座板１４とを含む椅子本体１６と、座板１２に乳幼児Ｍを着座させた際に少なくとも該乳幼児Ｍの前方転倒方向の動きを規制する落下防止部材１８と、を含み、乳幼児Ｍを座板１４上に着座させ、該落下防止部材１８を椅子本体１６に取り付けた状態で該落下防止部材１８と背もたれ部１２とが乳幼児Ｍの周囲を無端状に取り囲むように構成され、該落下防止部材１８は椅子本体１６に対して着脱自在に取り付けられていることを特徴とする乳幼児椅子１０から構成される。椅子本体、落下防止部材は、例えば、木材、竹材、合成樹脂、金属等、その他任意の材質でもよい。
【０００６】
また、落下防止部材１８は、背もたれ部１２の左右両側に設けられた受部２８を介して水平方向に架設される杆状ハンドル体４０からなり、杆状ハンドル体４０の両端側と両受部２８とがロック係合状態となって無端状の囲みを保持する状態と、それぞれの係合を解除して落下防止部材１８を離脱させる状態と、を変更自在とする落下防止部材脱着機構（３８）を備えたこととしてもよい。杆状ハンドル体の両端側と両受部とのロック係合は、例えば、凹凸嵌合や、両端にストッパ部材をはめ込む構成等、その他任意の構成でもよい。杆状ハンドル体は、例えば、直線状や曲線部を含む形状でもよく、また、断面形状が円形、楕円、多角形の角を丸くした形状等その他任意の形態でもよい。
【０００７】
また、受部２８は背もたれ部１２の両側に設けられた貫通孔３０からなり、落下防止部材脱着機構（３８）は、両貫通孔３０にそれぞれの両端側を挿通させた状態の杆状ハンドル体４０をその長手軸回りに軸回転操作することにより杆状ハンドル体４０と両貫通孔３０とのロック係合状態と、ロック離脱状態と、を自在に変更させることとしてもよい。貫通孔は、例えば、背もたれ部の左右両側に一対の構成でもよく、複数対の構成として落下防止部材を架設させる高さや前後方向の位置を変更できる構成としても良い。貫通孔の形状は、例えば、円形、楕円形、長丸、多角形等その他任意の形状でもよい。
【０００８】
また、背もたれ部１２は、前方側を開口した平面視Ｕ字形状で構成されていることとしてもよい。
【０００９】
また、背もたれ部１２の左右いずれか、または両側の貫通孔３０は、くびれ通路３２と、該くびれ通路３２にそれぞれ連通して対向して設けられた複数の保持孔３４，３６と、を含み、複数の保持孔の１つ（３４）は、他の保持孔３６より小形であり、杆状ハンドル体４０の一端または両端側には、大形の保持孔３６を貫通状に通すが小形の保持孔３４を貫通方向には通させず、かつくびれ通路３２を連通方向に通させない貫通本体部４４と、保持孔３４、３６もくびれ通路３２も通す薄肉部４６と、が形成されたこととしてもよい。例えば、貫通孔は、一方をくびれ通路及び複数の保持孔を有する形態とし、他方を単に長孔形状として構成してもよい。杆状ハンドル体は、例えば、貫通本体部をハンドル体本体部と同じ径に形成して薄肉部をハンドル体本体部よりも小さな幅に形成することとしても良く、或いは貫通本体部をハンドル体本体部よりも大径に形成して薄肉部をハンドル体本体部と同じ程度に形成することとしても良い。薄肉部は、好適には、杆状ハンドル体にかかる乳幼児からの荷重に耐える程度の厚さに設定される。
【００１０】
また、少なくとも一対の保持孔３４，３６は、くびれ通路３２を挟んで上下に対向配置されていることとしてもよい。
【００１１】
また、椅子本体１６を支持する脚部２０を有し、該脚部２０、椅子本体１６を含む構成部材（１８、２４、４８）は、木材または木製積層板から形成され、脚部２０の上部側は水平方向に曲成され、該曲成部２０ａを座板１４の下面側に直接に組付けて構成されることとしてもよい。脚部の脚の長さは任意でよく、例えば、食事する際に用いるテーブル等の台の高さ等に合わせて設定されることとしてもよい。
【００１２】
また、座板１４に着座する乳幼児Ｍのずり落ちを防止するように座板１４から上方に向けて乳幼児の股の間に立設されるズレ防止部材２４を有することとしてもよい。ズレ防止部材は、座板に例えば、ボルトや接着剤等で一体的に固定する構成としてもよく、または、脱着自在に装着できる構成としても良い。
【発明の効果】
【００１３】
本発明の乳幼児椅子によれば、背もたれ部と座板とを含む椅子本体と、座板に乳幼児を着座させた際に少なくとも該乳幼児の前方転倒方向の動きを規制する落下防止部材と、を含み、乳幼児を座板上に着座させ、該落下防止部材を椅子本体に取り付けた状態で該落下防止部材と背もたれ部とが乳幼児の周囲を無端状に取り囲むように構成され、該落下防止部材は椅子本体に対して着脱自在に取り付けられている構成であるから、乳幼児を座らせたり或いは椅子から抱えあげたりする際には、落下防止部材を椅子本体から取り外して椅子本体の前方側から着座空間に連続する広い空間を利用して簡単に座らせたり抱えあげたりすることができる。さらに、乳幼児を座らせた後には、落下防止部材を椅子本体に取り付けて、乳幼児の周囲を取り囲み、該乳幼児が前後左右いずれの方向へ転倒しようとしても落下防止部材又は背もたれ部で支持でき、椅子上からの落下を良好に防止して安全に着座させておくことができる。
【００１４】
また、落下防止部材は、背もたれ部の左右両側に設けられた受部を介して水平方向に架設される杆状ハンドル体からなり、杆状ハンドル体の両端側と両受部とがロック係合状態となって無端状の囲みを保持する状態と、それぞれの係合を解除して落下防止部材を離脱させる状態と、を変更自在とする落下防止部材脱着機構を備えた構成とすることにより、落下防止部材を椅子本体へ取り付けた状態ではロック係合状態として、乳幼児が前にもたれかかって落下防止部材に荷重が加わった際や、乳幼児が落下防止部材をむやみに触ったりした際等にも簡単には外れることがなく乳幼児の安全性を維持する。同時に、落下防止部材を離脱させる際には、ロックを解除することにより、着脱操作を簡便に行える。
【００１５】
また、受部は背もたれ部の両側に設けられた貫通孔からなり、落下防止部材脱着機構は、両貫通孔にそれぞれの両端側を挿通させた状態の杆状ハンドル体をその長手軸回りに軸回転操作することにより杆状ハンドル体と両貫通孔とのロック係合状態と、ロック離脱状態と、を自在に変更させる構成であるから、ボルト、ナット等の固定部材を別に必要とせず落下防止部材着脱機構を部品点数の少ない簡単な構成で実現できる。さらには、工具類も不要で杆状ハンドル体を貫通孔に通し、長手軸回りに回すだけの簡単な手操作だけでよく、乳幼児に対しても安全に操作でき、落下防止体の両端側を同時に両受部に対してロック係合状態と、ロック離脱状態とを変更でき、殆ど作業者の労力がかからず操作性が良好である。
【００１６】
また、背もたれ部は、前方側を開口した平面視Ｕ字形状で構成されている構成であるから、背もたれ部で乳幼児の左右及び後方を連続して囲むことができるので、落下防止部材を取り付けていない状態でも、着座させた乳幼児の左右両側や後方への転倒を防止でき、落下防止部材の取り付け作業時等の安全性を確保できる。さらには、例えば、落下防止部材を直線状等の単純な形状で構成しても無端状の囲みを実現でき、落下防止部材脱着機構の設計も簡単に行える。
【００１７】
また、背もたれ部の左右いずれか、または両側の貫通孔は、くびれ通路と、該くびれ通路にそれぞれ連通して対向して設けられた複数の保持孔と、を含み、複数の保持孔の１つは、他の保持孔より小形であり、杆状ハンドル体の一端または両端側には、大形の保持孔を貫通状に通すが小形の保持孔を貫通方向には通させず、かつくびれ通路を連通方向に通させない貫通本体部と、保持孔もくびれ通路も通す薄肉部と、が形成された構成とすることにより、落下防止部材脱着機構の構成を複雑化させることなく、より確実な落下防止部材のロック係合状態を実現でき、乳幼児がむやみに操作したり、手足や体が当たったりしても落下防止部材が簡単には外れることがなく、乳幼児の高い安全性を確保できる。同時に、落下防止部材を操作する大人にとっては、比較的簡単な操作だけで着脱操作を行うことができ、操作性を維持できる。
【００１８】
また、少なくとも一対の保持孔は、くびれ通路を挟んで上下に対向配置されている構成とすることにより、例えば、下側の保持孔を小形にして、杆状ハンドル体の自重を利用して簡単に下側の保持孔へ移動させて保持孔内での配置状態を維持できる一方で、上側の保持孔では自重に抗して手で保持して位置合わせしておく必要があり、装着操作を簡便にしつつ離脱操作をやや煩雑にさせた構成として、良好な操作性を維持しながら乳幼児のむやみな操作では簡単に離脱しない構成を簡単に実現できる。また、くびれ通路の連通方向と乳幼児が前にもたれかかった際の荷重がかかる方向と略直交するので、荷重がかかった状態では保持孔間を移動せず乳幼児の前もたれ動作を安定した状態で支持できる。
【００１９】
また、椅子本体を支持する脚部を有し、該脚部、椅子本体を含む構成部材は、木材または木製積層板から形成され、脚部の上部側は水平方向に曲成され、該曲成部を座板の下面側に直接に組付けて構成されることから、例えば、椅子本体と脚部とを連結させる継ぎ手や金具等の他の補助部材が不要な構成でも椅子本体を脚部で安定支持できるような連結構造をとることができ、部品点数が少なくてすみ、重量化することなく簡単に椅子全体を製造することができる。さらに、ほとんど全ての構成部材を木材等を利用することで、木工所において材料からの加工、組立てを含む製造工程の全てを一元化でき、生産管理を簡単に行える。また、木材特有の、例えば、比較的軽量である、加工がしやすい、木目の自然な意匠感を得る、肌触りが良くあたたかみがある等の効果を有する乳幼児椅子を製造できる。
【００２０】
また、座板に着座する乳幼児のずり落ちを防止するように座板から上方に向けて乳幼児の股の間に立設されるズレ防止部材を有する構成とすることにより、座板と落下防止部材との隙間から乳幼児が下方にずり落ちるのを防止し、乳幼児の着座姿勢の維持、または乳幼児の安全性を保持できる。
【発明を実施するための最良の形態】
【００２１】
以下、添付図面を参照しつつ本発明の乳幼児椅子の実施の形態について説明する。本発明の乳幼児椅子は、筋力が弱くしかも頭が重たいことから着座姿勢ではふらつきやすい乳幼児を椅子に着座させた際に、落下防止部材を椅子本体に取り付けて乳幼児の椅子上からの転倒を防止して安全に着座させておくことができるとともに、該落下防止部材を椅子本体から着脱自在に取り付けて乳幼児を椅子に着座させたり、椅子から抱え上げたりする際等の動作を楽に行える乳幼児椅子である。
【００２２】
図１は本実施形態に係る乳幼児椅子の斜視説明図、図２は図１の乳幼児椅子の正面図、図３は図１の一部を省略した平面図である。図４は、本実施形態に係る乳幼児椅子の分解斜視図である。なお、図４では、説明のために落下防止部材１８の端部の一部を切欠いて示している。図１、図２に示すように、本実施形態において、乳幼児椅子１０は、背もたれ部１２と座板１４とを含む椅子本体１６と、椅子本体１６に対して着脱自在に取付けられる落下防止部材１８と、を含む。本実施形態において、椅子本体１６は、脚部２０によって床面からある程度の高際に配置されて支持されている。なお、本実施形態では、図２上、左右を乳幼児椅子１０の左右とし、図２での紙面手前方向を前方、紙面奥方向を後方とする。
【００２３】
本実施形態では、脚部２０は、図１、図３、図４に示すように、椅子本体１６を安定支持するように縦に伸びる４本の脚２０１、２０２、２０３、２０４を含む。各脚２０１〜２０４は、例えば、帯状の木製単板等を積層、圧縮接着して形成された細長い積層板の上端側を水平方向に向けて略Ｌ字状に曲げ加工されて設けられており、脚２０１〜２０４のＬ字先端を合わせて平面視Ｘ字状に組み合わせて構成されている。本実施形態では、脚部２０の上部側の水平状に曲成された曲成部２０ａの上面側に直接に座板１４が載置状に配置された状態で、例えばボルト２１ａ、２１ｂ等を介して連結固定されている。
【００２４】
図１、図３に示すように、椅子本体１６の座板１４は、例えば、木製単板を積層、圧縮接着した積層板からなり、平面視舌片形状の平板で形成され、直線状の縁部分を前方側、円弧状側を後方側に向けて配置されている。座板１４は、例えば、乳幼児が着座した際に乳幼児の胴部ＭＢ周りにゆとり隙間ができるぐらいにある程度広い面積で設定されている。図４に示すように、座板１４の左右中央位置であって、前方寄り位置には、平面視横長丸形状の挿通孔２２が上下方向に貫通されており、座板１４上に着座する乳幼児Ｍのずり落ちを防止するズレ防止部材２４が装着される。本実施形態では、挿通孔２２の下方側の縁部は、挿通孔２２よりも段付き状に広がった凹段縁部２３が形成されている。
【００２５】
図５は、図２のＡ−Ａ線断面説明図である。図４、図５に示すように、ズレ防止部材２４は、本実施形態では、座板１４の座面から上方に向けて乳幼児の股の間に配置されるように立設されている。本実施形態では、ズレ防止部材２４は、舌片状の木製板部材からなり、横断面形状が座板１４の挿通孔２２と略同じ平面視横長丸形状で設けられ、該挿通孔２２内に挿通されて装着される。本実施形態では、ズレ防止部材２４の下端側には、その本体部分よりも広がった平板状の台板２６が一体的に固定されている。ズレ防止部材２４の台板２６は、挿通孔２２の凹段縁部２３内に嵌合状に配置されて、台板２６の下面と座板１４の下面とが略面一になるように形成されている。本実施形態では、ズレ防止部材２４は、座板１４の下方側から挿通孔２２に挿通されつつその上部側を座板１４の座面上からある程度、例えば７〜８ｃｍ程度上方に突出させた状態で装着される。この際、ズレ防止部材２４の台板２６は、ズレ防止部材２４の上方側の抜脱を防止するとともに、その下面側に脚部２０の曲成部２０ａが下から当てがわれることによって支持されるようになっている。すなわち、本実施形態では、ズレ防止部材２４は、脚部２０を座板１４の下面側に連結させる際に、脚部２０の曲成部２０ａを利用して下から受けた状態で支持されている。
【００２６】
図１、図３に示すように、椅子本体１６の背もたれ部１２は、本実施形態では、前方側を広く開口して、座板の円弧状縁部周りに沿って立設されている。本実施形態では、背もたれ部１２は、例えば、木製単板を積層、圧縮接着して形成された積層板を、前方側を開口するように平面視Ｕ字状に曲成して構成されており、前方側と上方側とを連続して開口させつつ、座板上をＵ字壁面で取り囲んでいる。本実施形態では、背もたれ部１２は、下端縁部を座板１４の縁部に沿ってあてがわれた状態で、例えば、ボルト又は接着等の任意の固定手段で一体的に固定されている。背もたれ部１２は、座板１４上に着座する乳幼児の左右両側及び背中側に連続した壁面を形成して、落下防止部材１８を取り付けていない状態でも、着座させた乳幼児の左右両側や後方への転倒を防止でき、落下防止部材の取り付け作業時の乳幼児の安全性を確保できる。
【００２７】
背もたれ部１４の左右両側の対向する側壁面の前方寄り位置には、落下防止部材１８を椅子本体１６に着脱自在に架設させる受部２８が一体的に設けられている。本実施形態では、受部２８は、後述する落下防止部材１８の両端側と係合するようになっており、受部２８と落下防止部材１８とは、落下防止部材が受部２８に対して移動しないようにロック係合する状態と、それぞれの係合を解除して落下防止部材を離脱させる状態と、を自在に変更できる脱着機構３８を構成している。本実施形態において、受部２８は、図６、図７にも示すように、背もたれ部の左右両側壁部分を横方向に貫通して形成された貫通孔３０からなり、該貫通孔内に落下防止部材１８の両端側をそれぞれ貫通させて架設させる。本実施形態では、貫通孔３０は、くびれ通路３２と、くびれ通路３２にそれぞれ連通して対向して設けられた２個の保持孔３４、３６と、を含む。本実施形態では、保持孔３４、３６は、略円形に穿孔されており、くびれ通路３２を挟んで上下に対向配置されている。さらに下側の保持孔３４は、上側の保持孔３６よりも小径に設けられている。くびれ通路３２は、本実施形態では、２つの保持孔３４、３６を直線状に上下に連通する一定幅の通路からなる。
【００２８】
図１、図３、図５に示すように、落下防止部材１８は、座板１４に乳幼児を着座させた際に少なくとも該乳幼児Ｍの前方転倒方向の動きを規制する落下防止手段である。本実施形態において、落下防止部材１８は、椅子本体１６に対して着脱自在に取り付けられており、乳幼児Ｍを座らせる際には、落下防止部材１８を椅子本体１６から取り外して椅子本体１６の前方側から座板上に連続する利用して、乳幼児を大人が抱え上げた状態から座板１４上に簡単に座らせることができる。落下防止部材１８を椅子本体１６に取り付けた状態では、落下防止部材１８は乳幼児の腹部辺りに配置されて、該落下防止部材と背もたれ部１２ととともに乳幼児の周囲を無端状に取り囲むように構成され、乳幼児Ｍが前後左右いずれの方向へ倒れても落下防止部材又は背もたれ部にもたれかかることとなり、乳幼児が椅子上から落下するのを良好に防止できる。本実施形態では、落下防止部材１８は、背もたれ部の受部２８に水平状に架設される杆状ハンドル体４０からなる。杆状ハンドル体４０は、例えば、断面円形の木製直杆部材からなる。杆状ハンドル体は、直杆状に設けられているので、加工が簡単であるとともに、上記の両受部２８の貫通孔３０に横方向から直線状に貫通させる操作だけで簡単に架設させることができる。
【００２９】
図７に示すように、杆状ハンドル体４０の両端側にはそれぞれ両貫通孔に係合する貫通本体部４４と、薄肉部４６と、が形成されている。本実施形態では、杆状ハンドル体４０が架設された状態で、貫通孔３０に対応する位置に薄肉部４６が形成され、その薄肉部４６の両側に貫通本体部４４が形成されている。貫通本体部４４は、杆状ハンドル体４０のハンドル本体部分と同じ断面積で形成され、ハンドル本体側に連続して形成された部分４４ａと、薄肉部より外側の端部に形成された部分４４ｂとを含む。図６−１にも示すように、貫通本体部４４（杆状ハンドル体４０）の径は、下側の小径の保持孔３４よりは大きな径で設定されており、かつ上側の大径の保持孔３６よりは小さな径で設定されている。すなわち、杆状ハンドル体４０は、上側の保持孔３６に対しては自在に貫通方向に通過できる一方で、下側の保持孔３４に対しては貫通方向への通過が規制されるようになっている。薄肉部４６は、本実施形態では、例えば、木製の杆状ハンドル体の両端側の貫通孔に対応した部分で挿通するように削り加工等して形成されており、図６−１において、断面形状が横長矩形状に形成されている。なお、薄肉部４６は、例えば、断面楕円形状、断面長丸状やその他任意形状でもよい。薄肉部４６の短辺方向の長さは、くびれ通路３２の幅よりもやや狭く設定されるとともに、薄肉部４６の長辺方向の長さは、くびれ通路３２の幅よりも大きく設定されている。薄肉部４６は、杆状ハンドル体４０の長手軸回りの回転により、その長辺方向を回転変換し、薄肉部４６が縦長の状態では、くびれ通路３２を連通方向に自在に通過して、対向する上側の保持孔３６と下側の保持孔３４とに自在に位置変更できる（図６−２、図６−３参照）。一方、薄肉部４６が横長の状態では、くびれ通路を通過できず移動が規制される（図６−１参照）。すなわち、本実施形態では、脱着機構３８は、杆状ハンドル体４０の貫通本体部４４、薄肉部４６と、貫通孔３０のくびれ通路３２、保持孔３４、３６とから構成されており、両貫通孔３０にそれぞれの両端側を挿通させた状態の杆状ハンドル体４０をその長手軸周りに軸回転操作することにより杆状ハンドル体４０と貫通孔３０とのロック係合状態と、ロック解除状態と、を自在に変更させるようになっている。
【００３０】
上記のように構成された杆状ハンドル体４０は、貫通孔の上側の保持孔３６を横方向に貫通して背もたれ部に架設され、両端側の薄肉部４６及び貫通孔のくびれ通路３２を介して杆状ハンドル体全体を自重を利用しながら下方へ移動させて下側の保持孔３４の位置に移動される。そして、杆状ハンドル体４０に、例えば９０度程度の回転動作を加えて、杆状ハンドル体４０を保持孔の貫通方向への移動及びくびれ通路３２の連通方向への移動を規制されたロック係合状態とし、無端状の囲みを保持する。このように構成することで、簡単な構成を維持しつつ大人にとっては操作が簡単である一方で、乳幼児によるむやみな操作では杆状ハンドル体が簡単には離脱せず、乳幼児の安全性を保持できる。
【００３１】
図１、図４、図５に示すように、本実施形態では、座板１４に着座した乳幼児Ｍの空中に浮いた足を載せ掛ける足載せ部４８が設けられている。足載せ部４８は、例えば、断面円形状の直杆状に形成されて左右方向に配置された足掛け杆５０と、座板１４の下方側から略Ｊ字状に曲成して設けられた支持板５２と、を含む。本実施形態では、例えば、足掛け杆５０は木製の棒体から形成されるとともに、支持板５２は木製積層板から形成され、足掛け杆５０が支持板５２のＪ字状の先端側に一体的に組付けられている。本実施形態では、支持板５２の上端側は水平方向に向けて曲成されて連結平板部５２ａを形成している。足載せ部４８は、支持板５２の連結平板部５２ａを脚部の曲成部２０ａの下面側にあてがった状態で、脚部の曲成部２０ａごと貫通するボルト２１ｂで一体的に固定される。
【００３２】
本実施形態の乳幼児椅子１０では、上記したように乳幼児椅子１０の各構成部材、例えば、椅子本体１６、脚部２０、落下防止部材１８、ズレ防止部材２４、足載せ部４８等が木製で形成されている。特に、脚部２０と座板１４との連結構成は、脚部２０の曲成部２０ａを介して、座板の下面側に直接に組み付けることができ、支持強度を確保できるとともに、ぐらつくことがない安定した連結構成を実現できる。さらに、足載せ部４８を脚部２０の連結用のボルト２１ｂと共通させて共に連結させるとともに、脚部２０の曲成部２０ａを利用してズレ防止部材２４を支持連結させる構成となっており、上記の構成部材の他に接続用の補助金具を用いることなく、部品点数で少なく簡単な構成で椅子を製造できる。さらに、例えば、木工所において木材や積層板の切削、変形加工から組み立て等の工程を含む製造工程の一元化が可能で、生産管理が簡素化できる。さらに、木材特有の、例えば、比較的軽量である、加工がしやすい、木目による自然な感じの意匠感が得る、肌触りが良くあたたかみがある等の効果を生かした椅子を良好に製造できる。
【００３３】
次に、本実施形態に係る乳幼児椅子１０の作用について説明する。乳幼児椅子１０に乳幼児を着座させる際には、杆状ハンドル体を外した状態で、乳幼児椅子の前方側から乳幼児を配置させる。この際、椅子本体の前方側は広く開口しているので乳幼児を配置させる動作を妨げるものが一切なく乳幼児を容易に配置させやすい。乳幼児を椅子上に着座させた状態で、杆状ハンドル体を受部の貫通孔の上側の保持孔に背もたれ部の外側から横方向に向けて貫通させる。杆状ハンドル体の両側の薄肉部を該貫通孔の位置に配置させた状態で架設させて、乳幼児の周囲を無端状に取り囲む。そして、杆状ハンドル体をその長手軸回りに回しながら薄肉部を縦長状態（図６−３参照）とし、杆状ハンドル全体を下方に移動させつつ該薄肉部をくびれ通路を通過させて杆状ハンドル体を下側の貫通孔の位置に配置させる。杆状ハンドル体の貫通本体部は、下側の貫通孔よりも径が大きいので横方向への移動が規制される。その状態で杆状ハンドル体を約９０度回転させると両端側の薄肉部は横長状態となり、杆状ハンドル体の貫通方向への移動及びくびれ通路の移動が共に規制される。これにより、杆状ハンドル体は受部に対してロック係合状態となり、無端状の囲みが保持され、乳幼児は前後左右いずれの方向にもたれかかっても杆状ハンドル体または背もたれ部に支持されて安全に着座できる。このロック係合操作は、大人にとっては杆状ハンドル体の保持孔やくびれ通路の挿通操作と回転操作といった比較的簡単な操作だけで杆状ハンドル体をスムーズにロック係合できる。一方で、乳幼児が落下防止部材を単に触ったり、むやみに操作したりしても簡単に外れることがなく、安全性を保持できる。杆状ハンドル体を外す際には、再び杆状ハンドル体を約９０度回転させて薄肉部を縦長状態とする。杆状ハンドル体全体を上方向へ持ち上げて、薄肉部をくびれ通路を介して上側の保持孔に持ち上げ移動させ、上側の保持孔と位置合わせしながら杆状ハンドル体を横方向に引き抜いて取り外す。杆状ハンドル体を離脱させることで、乳幼児を着座させる際と同様に乳幼児の抱きかかえ操作が簡単に行える。
【００３４】
以上説明した本発明の乳幼児椅子は、上記した実施形態のみの構成に限定されるものではなく、特許請求の範囲に記載した本発明の本質を逸脱しない範囲において、任意の改変を行ってもよい。
【産業上の利用可能性】
【００３５】
本発明の乳幼児椅子は、例えば、乳幼児が家庭内やレストラン等で飲食する際などに乳幼児を着座させる椅子として利用される。
【図面の簡単な説明】
【００３６】
【図１】実施形態に係る乳幼児椅子の斜視図である。
【図２】図１の乳幼児椅子の正面図である。
【図３】図１の乳幼児椅子の平面図である。
【図４】図１の乳幼児椅子の分解斜視説明図である。
【図５】図２のＡ−Ａ線断面図である。
【図６−１】杆状ハンドル体の端部と貫通孔とのロック係合状態を示す図であって、薄肉部部分を縦断して示した説明図である。
【図６−２】図６−１の状態から杆状ハンドル体を軸回転させた状態の作用説明図である。
【図６−３】図６−２の状態から、くびれ通路を介して保持孔を移動させた状態の作用説明図である。
【図７】図１の杆状ハンドル部の端部と貫通孔との一部拡大図である。
【符号の説明】
【００３７】
１０  乳幼児椅子
１２  背もたれ部
１４  座板
１６  椅子本体
１８  落下防止部材
２０  脚部
２４  ズレ防止部材
２８  受部
３０  貫通孔
３２  くびれ通路
３４，３６  保持孔
３８  脱着機構
４０  杆状ハンドル体
４４  貫通本体部
４６  薄肉部
【図１】
2006116166.tif 000003
【図２】
2006116166.tif 000004
【図３】
2006116166.tif 000005
【図４】
2006116166.tif 000006
【図５】
2006116166.tif 000007
【図６−１】
2006116166.tif 000008
【図６−２】
2006116166.tif 000009
【図６−３】
2006116166.tif 000010
【図７】
2006116166.tif 000011